(57)【要約】【課題】消費電力の増大を抑えて利便性を向上できるドラム式洗濯機を提供する。【解決手段】洗濯物Ｗが投入される投入口２ａを有した筐体２と、透視窓３１を有して投入口２ａを開閉する扉３と、筐体２内に弾性支持されて水を溜める水槽４と、回転軸Ｒを前後方向に配して水槽４内に横設されるとともに投入口２ａから投入された洗濯物Ｗを収容するドラム５と、ドラム５内を照明する照明部１０と、室内の人体を検知する人感センサ６０と、室内の照度を検知する照度センサ５０とを備え、人感センサ６０により人体を検知した際に照明部１０を点灯するドラム式洗濯機１において、照度センサ５０の検知結果に応じて照明部１０の点灯開始に関する制御を切り換える。【選択図】図５
2017038771.tif 000002
【特許請求の範囲】
【請求項１】
洗濯物が投入される投入口を有した筐体と、透視窓を有して前記投入口を開閉する扉と、前記筐体内に弾性支持されて水を溜める水槽と、回転軸を前後方向に配して前記水槽内に横設されるとともに前記投入口から投入された洗濯物を収容するドラムと、前記ドラム内を照明する照明部と、室内の人体を検知する人感センサと、室内の照度を検知する照度センサとを備え、前記人感センサにより人体を検知した際に前記照明部を点灯するドラム式洗濯機において、
前記照度センサの検知結果に応じて前記照明部の点灯開始に関する制御を切り換えることを特徴とするドラム式洗濯機。
【請求項２】
洗濯運転時に室内の照度が所定の第１照度よりも低い場合に高い場合よりも前記人感センサによる人体検知から前記照明部を点灯するまでの時間を短くしたことを特徴とする請求項１に記載のドラム式洗濯機。
【請求項３】
洗濯運転時に室内の照度が所定の第１照度よりも低い場合に高い場合よりも前記人感センサの検知距離を長くしたことを特徴とする請求項１に記載のドラム式洗濯機。
【請求項４】
洗濯運転の終了時に前記照明部の点滅により報知し、室内の照度が所定の第２照度よりも低い場合に高い場合よりも前記照明部の点滅周期を長くしたことを特徴とする請求項１〜請求項３のいずれかに記載のドラム式洗濯機。
【請求項５】
室内の照度が所定の第３照度よりも低い場合に高い場合よりも前記照明部の輝度を低くしたことを特徴とする請求項１〜請求項４のいずれかに記載のドラム式洗濯機。
【請求項６】
前記水槽に給水する給水部と、排水弁を有して前記水槽内の水を排水する排水通路と、前記排水通路の前記排水弁の下流と前記水槽の所定の上限水位に開口した流出口とを連結したオーバーフロー管と、前記水槽にイオンを送出するイオン送出部とを備え、前記排水弁を開いて前記水槽内の水を排水した後に前記イオン送出部を所定時間駆動する除菌モードを有し、前記除菌モードの終了後に前記水槽の給水及び排水を行うことを特徴とする請求項１〜請求項５のいずれかに記載のドラム式洗濯機。
【請求項７】
前記除菌モードの実行中に人体が検知された場合に前記照明部を点灯することを特徴とする請求項６に記載のドラム式洗濯機。
【請求項８】
前記除菌モード時の前記照明部の発光色が洗濯運転中と異なることを特徴することを特徴とする請求項７に記載のドラム式洗濯機。
【請求項９】
洗濯運転の終了後に連続して前記除菌モードを行うことを特徴とする請求項６〜請求項８のいずれかに記載のドラム式洗濯機。
【発明の詳細な説明】
【技術分野】
【０００１】
本発明は、ドラムを回転させて衣類等の洗濯を行うドラム式洗濯機に関する。
【背景技術】
【０００２】
従来のドラム式洗濯機は特許文献１に開示されている。このドラム式洗濯機は室内に設置される筐体内に水槽、ドラム及び循環ダクトを有する。筐体は洗濯物が投入される投入口を前面に有し、投入口は透視窓を有する扉により開閉される。水槽は筐体内で支持され、内部に水を溜める。ドラムは回転軸を前後方向に配して水槽内に横設され、投入口から投入された衣類等の洗濯物を収容する。循環ダクトは水槽の外部に配され、水槽に設けた空気の吸込口と吹出口とを連結する。循環ダクト内には吸込口から吹出口に向かって（気流の上流から下流に向かって）除湿器、送風機及び加熱器が順に配置されている。また、水槽の下端から筐体の外部に向かって排水通路が導出され、排水通路は排水弁を有している。排水弁の開放により水槽内の水は筐体の外部へ排水される。
【０００３】
筐体２の前面には扉の周囲を囲むように照明部が設けられる。照明部は筐体の外部に向けて光を出射する。筐体の前面の上部には人感センサ及び照度センサが設けられる。人感センサは室内の人体を検知し、照度センサは室内の照度を検知する。また、筐体の前面上部には操作部が設けられる。
【０００４】
上記構成のドラム式洗濯機において、操作部の操作により洗濯運転が行われる。洗濯運転では、洗い工程、すすぎ工程及び脱水工程が順に実行される。また、操作部の操作により乾燥工程が実行される。この時、照明部は各工程ごとに発光色を切り換えて光を出射する。これにより、使用者は実行中の工程を容易に把握することができる。
【０００５】
この時、室内に人体が存在する場合には所定の輝度で照明部は点灯され、室内に人体が存在しない場合には所定の輝度よりも低い輝度で照明部は点灯される。また、室内の照度が所定照度よりも高い場合には所定の輝度で照明部は点灯され、室内の照度が所定照度よりも低い場合には所定の輝度よりも低い輝度で照明部は点灯される。
【先行技術文献】
【特許文献】
【０００６】
【特許文献１】特開２０１４−９７２６７号公報（第７頁〜第１０頁、第１図〜第３図、第６図）
【発明の概要】
【発明が解決しようとする課題】
【０００７】
しかしながら、上記従来のドラム式洗濯機によると、明るい室内で人体が検知された場合と暗い室内で人体が検知された場合とで照明部の輝度を遅く上昇させると暗い室内に進入した使用者が実行中の工程を把握するまでに時間がかかり、利便性が悪い問題があった。一方、明るい室内で人体が検知された場合と暗い室内で人体が検知された場合とで照明部の輝度を早く上昇させると消費電力が増大する問題があった。
【０００８】
本発明は、消費電力の増大を抑制して利便性を向上できるドラム式洗濯機を提供することを目的とする。
【課題を解決するための手段】
【０００９】
上記目的を達成するために本発明は、洗濯物が投入される投入口を有した筐体と、透視窓を有して前記投入口を開閉する扉と、前記筐体内に弾性支持されて水を溜める水槽と、回転軸を前後方向に配して前記水槽内に横設されるとともに前記投入口から投入された洗濯物を収容するドラムと、前記ドラム内を照明する照明部と、室内の人体を検知する人感センサと、室内の照度を検知する照度センサとを備え、前記人感センサにより人体を検知した際に前記照明部を点灯するドラム式洗濯機において、前記照度センサの検知結果に応じて前記照明部の点灯開始に関する制御を切り換えることを特徴としている。
【００１０】
この構成によると、水槽内に水を溜めてドラム内に衣類等の洗濯物を収容してドラムを回転させることによって洗濯運転が実行される。洗濯運転時に室内の人体が検知されると照明部が点灯される。この時、室内の照度に応じて照明部の点灯開始に関する制御が切り換えられる。
【００１１】
また本発明は、上記構成のドラム式洗濯機において、洗濯運転時に室内の照度が所定の第１照度よりも低い場合に高い場合よりも前記人感センサによる人体検知から前記照明部を点灯するまでの時間を短くすると好ましい。
【００１２】
また本発明は、上記構成のドラム式洗濯機において、洗濯運転時に室内の照度が所定の第１照度よりも低い場合に高い場合よりも前記人感センサの検知距離を長くすると好ましい。
【００１３】
また本発明は、上記構成のドラム式洗濯機において、洗濯運転の終了時に前記照明部の点滅により報知し、室内の照度が所定の第２照度よりも低い場合に高い場合よりも前記照明部の点滅周期を長くすると好ましい。
【００１４】
また本発明は、上記構成のドラム式洗濯機において、室内の照度が所定の第３照度よりも低い場合に高い場合よりも前記照明部の輝度を低くすると好ましい。
【００１５】
また本発明は、上記構成のドラム式洗濯機において、前記水槽に給水する給水部と、排水弁を有して前記水槽内の水を排水する排水通路と、前記排水通路の前記排水弁の下流と前記水槽の所定の上限水位に開口した流出口とを連結したオーバーフロー管と、前記水槽にイオンを送出するイオン送出部とを備え、前記排水弁を開いて前記水槽内の水を排水した後に前記イオン送出部を所定時間駆動する除菌モードを有し、前記除菌モードの終了後に前記水槽の給水及び排水を行うと好ましい。
【００１６】
また本発明は、上記構成のドラム式洗濯機において、前記除菌モードの実行中に人体が検知された場合に前記照明部を点灯すると好ましい。
【００１７】
また本発明は、上記構成のドラム式洗濯機において、前記除菌モード時の前記照明部の発光色が洗濯運転中と異なると好ましい。
【００１８】
また本発明は、上記構成のドラム式洗濯機において、洗濯運転の終了後に連続して前記除菌モードを行うと好ましい。
【発明の効果】
【００１９】
本発明によると、室内の人体を検知する人感センサにより人体を検知した際にドラム内を照明する照明部を点灯する。これにより、使用者が室内に存在する場合には照明部は点灯され、不在の場合には照明部は点灯されない。また、室内の照度を検知する照度センサの検知結果に応じて照明部の点灯開始に関する制御を切り換える。これにより、室内の人体が検知された際に例えば室内が暗い場合は明るい場合よりも早く照明部が点灯される。したがって、ドラム式洗濯機の消費電力の増大を抑えて利便性を向上させることができる。
【図面の簡単な説明】
【００２０】
【図１】本発明の第１実施形態のドラム式洗濯機を示す斜視図
【図２】本発明の第１実施形態のドラム式洗濯機の右側面断面図
【図３】本発明の第１実施形態のドラム式洗濯機の構成を示すブロック図
【図４】本発明の第１実施形態のドラム式洗濯機の照明部の点灯動作を示すフローチャート
【図５】本発明の第１実施形態のドラム式洗濯機の照明部の点灯動作時の点灯時期判定処理を示すフローチャート
【図６】本発明の第１実施形態のドラム式洗濯機の照明部の点灯動作時の点滅周期判定処理を示すフローチャート
【図７】本発明の第１実施形態のドラム式洗濯機の除菌モードを示すフローチャート
【図８】本発明の第１実施形態のドラム式洗濯機の排水トラップ回復動作を示すフローチャート
【図９】本発明の第２実施形態のドラム式洗濯機の照明部の点灯動作時の点灯時期判定処理を示すフローチャート
【図１０】本発明の第３実施形態のドラム式洗濯機の照明部の点灯動作時の点灯時期判定処理を示すフローチャート
【発明を実施するための形態】
【００２１】
＜第１実施形態＞
以下に本発明の実施形態を図面を参照して説明する。図１は第１実施形態のドラム式洗濯機の斜視図を示している。ドラム式洗濯機１は室内に設置される筐体２を有する。筐体２の前面には洗濯物が投入される投入口２ａ（図２参照）が設けられ、投入口２ａはガラス板等が嵌め込まれた透視窓３１を有する扉３によって開閉される。筐体２の上面の後部には給水口１３が開口している。給水口１３はホース（不図示）を介して市水（水道水など）に接続される。
【００２２】
筐体２の上面の前端部には操作部２１、照度センサ５０及び人感センサ６０が設けられる。操作部２１は操作ボタン（不図示）及び表示パネル（不図示）を有する。操作部２１の操作により後述の洗濯運転や除菌モード等を実行することができる。
【００２３】
照度センサ５０は室内の照度を検知する。人感センサ６０は例えば赤外線センサから成り、室内の人体を検知する。照度センサ５０及び人感センサ６０は扉３の上方に配されるため、投入口２ａを介した洗濯物Ｗの出し入れの際に照度センサ５０及び人感センサ６０の損傷を防止することができる。また、人感センサ６０は筐体２の上部に配されるため、筐体２から離れた人体を容易に検知することができる。
【００２４】
図２はドラム式洗濯機１の右側面断面図を示している。筐体２内には前面に開口部４ａを有する有底筒状の水槽４が横設されている。水槽４はダンパ９によって筐体２内で弾性支持され、内部に水を溜めることができる。開口部４ａの周縁にはゴム等の弾性体により形成されるパッキン（不図示）が設けられる。
【００２５】
水槽４内には前面に開口部５ａを有する有底筒状のドラム５が横設される。ドラム５は例えばステンレス鋼板により形成され、前端部には環状の流体バランサ７が周設されている。流体バランサ７はドラム５に固定され、後述のモータ６によりドラム５とともに回転する。
【００２６】
ドラム５の周面には複数の小孔５ｂが開口している。これにより、水槽４とドラム５との間で水及び空気が流通することができる。ドラム５の内周面上には回転軸Ｒ方向に延びる複数のバッフル（不図示）が配置されている。バッフルはドラム５内に向かって突出して設けられ、ドラム５の周方向で等間隔になるように例えば３個設けられる。
【００２７】
水槽４の後方にはモータ６が配置される。モータ６の軸部（不図示）は水槽４を貫通してドラム５に連結される。モータ６の駆動によってドラム５は回転軸Ｒを中心に回転する。回転軸Ｒは前後方向に配されて後方へ行くほど下方になるように傾斜している。これにより、筐体２の前方に立った使用者はドラム５内の後部まで容易に視認することができる。なお、回転軸Ｒが水平になるようにドラム５を配置してもよい。
【００２８】
扉３を開いて、投入口２ａ及び開口部４ａ、５ａを介してドラム５内に洗濯物Ｗを収容することができる。使用者は透視窓３１を介してドラム５内の洗濯物Ｗを容易に視認することができる。また、扉３を閉じた時にパッキンが扉３の周縁部に密着する。これにより、ドラム式洗濯機１の洗濯運転時に開口部４ａを介した水槽４の水の漏出を防止することができる。
【００２９】
水槽４の後端部及び前部には空気の吸込口（不図示）及び吹出口（不図示）がそれぞれ開口している。吸込口と吹出口とは水槽４の外部に配された循環ダクト２５により連結されている。循環ダクト２５内には吸込口から吹出口に向かって（気流の上流側から下流側に向かって）冷却器２６、加熱器２７、送風機２８及びイオン発生部２９が順に配される。送風機２８の駆動により水槽４内の空気は矢印Ａに示すように循環ダクト２５を介して循環する。
【００３０】
イオン発生部２９は循環ダクト２５に臨む電極（不図示）を有する。電極には交流波形またはインパルス波形から成る電圧が印加される。電極の印加電圧が正電圧の場合は主としてＨ+（Ｈ2Ｏ）ｍから成るプラスイオンを発生し、負電圧の場合は主としてＯ2-（Ｈ2Ｏ）ｎから成るマイナスイオンを発生する。ここで、ｍ、ｎは整数である。Ｈ+（Ｈ2Ｏ）ｍ及びＯ2-（Ｈ2Ｏ）ｎは空気中の浮遊菌や臭気成分の表面で凝集してこれらを取り囲む。送風機２８及びイオン発生部２９により水槽４にイオンを送出するイオン送出部が構成される。
【００３１】
そして、式（１）〜（３）に示すように、衝突により活性種である［・ＯＨ］（水酸基ラジカル）やＨ2Ｏ2（過酸化水素）を微生物等の表面上で凝集生成して浮遊菌等を破壊する。ここで、ｍ’、ｎ’は整数である。したがって、イオン送出部がプラスイオン及びマイナスイオンを発生して循環ダクト２５内に送出することにより水槽４及びドラム５の除菌及び臭い除去を行うことができる。
【００３２】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３３】
後述の乾燥工程において、冷却器２６は吸込口から循環ダクト２５に進入した空気を冷却して除湿し、加熱器２７は冷却器２６で除湿された空気を加熱する。
【００３４】
水槽４の開口部４ａの上端部には照明部１０及び人感センサ６１（図３参照）がドラム５内に向かって突出するように設けられる。照明部１０は例えばＬＥＤから成り、ドラム５内を照明する。人感センサ６１は例えば赤外線センサから成り、ドラム５内に進入した使用者の腕等を検知する。これにより、ドラム式洗濯機１は洗濯運転後や乾燥工程後にドラム５内に洗濯物Ｗが取り忘れられて残っているか否かを判断することができる。なお、照明部１０及び人感センサ６１は防水処理されている。
【００３５】
筐体２の上部には給水口１３と水槽４の流入口４ｂとを連通させる給水通路１５が設けられる。給水通路１５には給水弁１２及び洗剤室１６が設けられる。給水弁１２を開くことにより水槽４内に給水することができる。洗剤室１６は筐体２の上面に設けられた蓋部（不図示）により開閉され、洗濯用洗剤、漂白剤や柔軟剤を収納する。給水口１３、給水通路１５及び給水弁１２により水槽４に給水する給水部が構成される。
【００３６】
水槽４の後部の下端から筐体２の外部に向けて排水通路４１が導出される。排水通路４１には排水弁４２が設けられる。排水弁４２の開放により水槽４内の水は排水通路４１を介して筐体２の外部へ排水される。排水通路４１及び排水弁４２により水槽４内の水を排水する排水部が構成される。
【００３７】
筐体２の外部に導出された排水通路４１は室内の床面Ｆ下に設けられた排水トラップ４３の一端に接続される。排水トラップ４３には封水ＳＷが溜まっている。これにより、下水管からの悪臭や害虫の進入を防止することができる。
【００３８】
水槽４の所定の上限水位には流出口（不図示）が設けられ、流出口からオーバーフロー管４５が導出される。オーバーフロー管４５は排水弁４２と排水トラップ４３との間の排水通路４１に接続される。水槽４の水位が上昇して水が流出口に到達すると、オーバーフロー管４５及び排水通路４１を介して筐体２の外部へ排出される。これにより、水槽４内の水位を上限水位以下に維持することができる。
【００３９】
図３はドラム式洗濯機１の構成を示すブロック図である。ドラム式洗濯機１は各部を制御するＣＰＵから成る制御部１００を有する。制御部１００には人感センサ６０、６１、照度センサ５０、操作部２１、照明部１０、排水弁４２、給水弁１２、モータ６及び記憶部４０が接続されている。記憶部４０はドラム式洗濯機１の制御プログラムを格納するとともに、制御部１００による演算結果、人感センサ６０、６１や照度センサ５０等の検知結果を記憶する。
【００４０】
上記構成のドラム式洗濯機１において、使用者による操作部２１の操作により洗濯運転が行われる。洗濯運転では洗い工程、すすぎ工程及び脱水工程が順に実行される。なお、操作部２１の操作により選択された工程のみを実行することもできる。
【００４１】
また、操作部２１の操作により乾燥工程及び除菌モードを選択して実行することができる。なお、後述のように除菌モードの終了後には連続して排水トラップ回復動作が行われる。
【００４２】
洗い工程では、給水部による水槽４への給水後に洗濯物Ｗ及び洗剤が投入されたドラム５を回転させて洗濯物Ｗを洗う。すすぎ工程では、水槽４及びドラム５内の洗濯水（洗い工程時の水）を排水して給水を再度行った後に、洗濯物Ｗが収容されたドラム５を回転させて洗濯物Ｗをすすぐ。洗い工程及びすすぎ工程時に、バッフルにより洗濯物Ｗが撹拌される。
【００４３】
脱水工程では、水槽４及びドラム５内の水（すすぎ工程時の水）を排水した後、排水弁４２を開いた状態で、洗濯物Ｗが収容されたドラム５を洗い工程及びすすぎ工程の時よりも高速で回転させる。これにより、洗濯物Ｗを脱水することができる。脱水工程の終了により洗濯運転は終了する。そして、使用者が扉３を開いてドラム５内に腕を入れると人感センサ６１により検知される。これにより、ドラム式洗濯機１は洗濯物Ｗの回収があったと判断することができる。
【００４４】
図４は洗濯運転時の照明部１０の点灯動作を示すフローチャートである。操作部２１の操作によりドラム式洗濯機１の洗濯運転が指示されると、人感センサ６０、６１及び照度センサ５０が駆動され、洗濯運転と照明部１０の点灯動作とが並行して行われる。
【００４５】
ステップ＃１１では照明部１０が点灯しているか否かが判断される。照明部１０が点灯していない場合はステップ＃１２に移行し、点灯している場合はステップ＃１４に移行する。ステップ＃１４では室内に人体が存在するか（室内の人体が検知されたか）否かが判断される。室内に人体が存在する場合はステップ＃１６に移行し、人体が存在しない場合はステップ＃１５に移行して照明部１０が消灯される。
【００４６】
ステップ＃１２では室内に人体が存在するか否かが判断される。人体が存在する場合はステップ＃１３に移行し、存在しない場合はステップ＃１６に移行する。
【００４７】
ステップ＃１６では洗濯運転が停止したか否かが判断される。洗濯運転が停止した場合はステップ＃１７に移行し、停止していない場合はステップ＃１１に戻ってステップ＃１１〜ステップ＃１６が繰り返される。
【００４８】
図５は図４のステップ＃１３の点灯時期判定処理を示すフローチャートである。ステップ＃３１では室内の照度Ｌが所定の判定照度ＬＨ１（本実施形態では５００ルクス）以上か否かが判断される。照度Ｌが判定照度ＬＨ１以上でない場合はステップ＃３２に移行し、判定照度ＬＨ１以上の場合は図４のステップ＃１６に戻る。
【００４９】
ステップ＃３２では照度Ｌが所定の判定照度ＬＭ１（第１照度、本実施形態では１００ルクス）以上か否かが判断される。照度Ｌが判定照度ＬＭ１以上の場合はステップ＃３３に移行し、判定照度ＬＭ１以上でない場合はステップ＃３４に移行する。
【００５０】
ステップ＃３３では、人感センサ６０による人体検知からの時間Ｔが所定の点灯開始時間ＴＬ（本実施形態では１０秒間）に到達まで待機する。ステップ＃３４では、時間Ｔが所定の点灯開始時間ＴＳ（本実施形態では２秒間）に到達するまで待機する。点灯開始時間ＴＳは点灯開始時間ＴＬよりも短い時間に設定され、０秒に設定されてもよい。
【００５１】
ステップ＃３３及びステップ＃３４で時間Ｔがそれぞれ点灯開始時間ＴＬ、ＴＳに到達するとステップ＃３９に移行する。ステップ＃３９では照明部１０が点灯される。これにより、ドラム５内が照明されるため、使用者は透視窓３１を介して洗濯運転中のドラム５内の洗濯物Ｗの様子を容易に認識することができる。また、照明部１０の出射光が透視窓３１を介して筐体２の外部に到達するため、使用者は洗濯運転の実行を容易に認識することができる。
【００５２】
また、照明部１０は室内に人体が存在する場合に点灯し、人体が存在しない場合に点灯しないため、ドラム式洗濯機１の消費電力の増大を抑制することができる。また、洗濯運転時に室内の照度Ｌが判定照度ＬＭ１よりも低い場合に高い場合よりも人感センサ６０による人体検知から照明部１０を点灯するまでの時間を短くしている。これにより、照度センサ５０の検知結果に応じて照明部１０の点灯時期が切り換えられ（点灯開始に関する制御が切り換えられ）、室内が暗い場合に使用者はドラム５内の様子を迅速に確認することができる。また、室内が明るい場合には暗い場合よりも照明部１０は遅く点灯するため、使用者は照明部１０の消灯下でドラム５内の様子の概略を確認した後に照明部１０の点灯下でドラム５内の様子を十分に確認することができる。したがって、ドラム式洗濯機１の消費電力の増大を抑えて利便性を向上させることができる。
【００５３】
ステップ＃１７では室内の人体を検知するまで待機する。室内の人体を検知すると、ステップ＃１８に移行する。
【００５４】
図６は図４のステップ＃１８の点滅周期判定処理を示すフローチャートである。ステップ＃５１では室内の照度Ｌが所定の判定照度ＬＨ２（本実施形態では５００ルクス）以上か否かが判断される。照度Ｌが判定照度ＬＨ２以上の場合はステップ＃５３に移行し、判定照度ＬＨ２以上でない場合はステップ＃５２に移行する。
【００５５】
ステップ＃５２では照度Ｌが所定の判定照度ＬＭ２（第２照度、本実施形態では１００ルクス）以上か否かが判断される。照度Ｌが判定照度ＬＭ２以上の場合はステップ＃５４に移行し、判定照度ＬＭ２以上でない場合はステップ＃５５に移行する。なお、判定照度ＬＨ２、ＬＭ２はそれぞれ判定照度ＬＨ１、ＬＭ１と同じでもよく、異なってもよい。
【００５６】
ステップ＃５３〜ステップ＃５５では照明部１０が所定の点滅周期で点滅する。ステップ＃５３の点滅周期、ステップ＃５４の点滅周期及びステップ＃５５の点滅周期は順に長く設定され、本実施形態では０．５秒、１秒、２秒にそれぞれ設定される。
【００５７】
これにより、洗濯運転の終了時に照明部１０の点滅により報知するため、使用者は洗濯運転の終了を容易に認識することができる。また、室内の照度Ｌが判定照度ＬＭ２よりも低い場合に高い場合よりも照明部１０の点滅周期を長くしている。これにより、暗い室内にいる使用者に対して眩しさを軽減しながら洗濯運転の終了を容易に認識させることができる。一方、室内が明るい場合には照明部１０の点滅周期が短いため、使用者は明るい室内でも照明部１０の点滅を容易に認識することができる。
【００５８】
ステップ＃５３〜ステップ＃５５の後は図４のステップ＃１９に戻る。ステップ＃１９では、所定時間（本実施形態では１０秒間）が経過したか否かが判断される。所定時間が経過していない場合はステップ＃２０に移行し、所定時間が経過した場合は照明部１０の点灯動作は終了する。
【００５９】
ステップ＃２０では、室内に人体が存在するか否かが判断される。室内に人体が存在する場合はステップ＃１９に戻ってステップ＃１９及びステップ＃２０が繰り返される。室内に人体が存在しない場合は照明部１０の点灯動作は終了する。
【００６０】
洗濯運転終了後の乾燥工程では、冷却器２６、加熱器２７及び送風機２８を駆動させるとともに洗濯物Ｗの入ったドラム５を回転させる。この時、ドラム５内の湿った空気は水槽４の吸込口を介して循環ダクト２５に吸い込まれ、冷却器２６で除湿される。除湿された空気は加熱器２７で加熱された後に水槽４の吹出口を介してドラム５内に送出される。これにより、ドラム５内の洗濯物Ｗを乾燥することができる。
【００６１】
図７は水槽４及びドラム５を除菌する除菌モードの動作を示すフローチャートである。除菌モードは洗濯運転の終了後に連続して行われる。ステップ＃６１では送風機２８が駆動される。ステップ＃６２ではイオン発生部２９が駆動される。この時、冷却器２６及び加熱器２７を駆動しない。イオン発生部２９で発生したイオンを含む空気は循環ダクト２５内を流通した後に、水槽４及びドラム５内に送出される。また、循環ダクト２５内を流通したイオンを含む空気の一部は水槽４からオーバーフロー管４５を介して排水通路４１に流入する。これにより、水槽４、ドラム５、循環ダクト２５、オーバーフロー管４５及び排水通路４１が除菌される。
【００６２】
ステップ＃６３では所定時間（本実施形態では２０分間）が経過するまで待機する。所定時間が経過するとステップ＃６４に移行し、イオン発生部２９が停止される。ステップ＃６５では送風機２８が停止され、除菌モードが終了する。
【００６３】
除菌モード時には、送風機２８から送出された空気がオーバーフロー管４５及び排水通路４１を介して排水トラップ４３に流入する。このため、排水トラップ４３に溜まっていた封水ＳＷが押し流され、排水トラップ４３の水封が破れる場合がある。そこで、本実施形態では除菌モードの終了後に連続して排水トラップ回復動作が実行される。
【００６４】
図８は排水トラップ４３の水封を回復させる排水トラップ回復動作を示すフローチャートである。ステップ＃７１では排水弁４２が開かれる。ステップ＃７２では給水弁１２が開かれる。ステップ＃７３では所定時間（本実施形態では３分間）が経過するまで待機する。所定時間が経過すると、ステップ＃７４に移行して給水弁１２が閉じられる。ステップ＃７５では所定時間（本実施形態では３分間）が経過するまで待機する。所定時間が経過するとステップ＃７６に移行して排水弁４２が閉じられる。これにより、排水トラップ４３に封水ＳＷを溜めることができ、排水トラップ４３の水封を回復することができる。
【００６５】
本実施形態によると、人感センサ６０により人体を検知した際にドラム５内を照明する照明部１０を点灯する。これにより、使用者はドラム５内の洗濯物Ｗの様子を容易に確認することができる。また、使用者が室内に不在の場合には照明部１０は点灯されないため、ドラム式洗濯機１の消費電力の増大を抑制することができる。
【００６６】
また、洗濯運転時に室内の照度Ｌが判定照度ＬＭ１（第１照度）よりも低い場合に高い場合よりも人感センサ６０による人体検知から照明部１０を点灯するまでの時間を短くしている。これにより、照度センサ５０の検知結果に応じて照明部１０の点灯時期が切り換えられ（点灯開始に関する制御が切り換えられ）、室内が暗い場合に使用者はドラム５内の様子を迅速に確認することができる。また、室内が明るい場合には暗い場合よりも照明部１０は遅く点灯するため、使用者は照明部１０の消灯下でドラム５内の様子の概略を確認した後に照明部１０の点灯下でドラム５内の様子を十分に確認することができる。したがって、ドラム式洗濯機１の消費電力の増大を抑えて利便性を向上させることができる。
【００６７】
また、洗濯運転の終了時に照明部１０の点滅により報知し、室内の照度Ｌが判定照度ＬＭ２（第２照度）よりも低い場合に高い場合よりも照明部１０の点滅周期を長くしている。これにより、暗い室内にいる使用者に対して眩しさを軽減しながら洗濯運転の終了を容易に認識させることができる。
【００６８】
なお、照度Ｌが判定照度ＬＭ２よりも低い場合に高い場合よりも照明部１０の点滅周期を短くしてもよいが、照度Ｌが判定照度ＬＭ２よりも低い場合に高い場合よりも照明部１０の点滅周期を長くすると眩しさを軽減できるため、より望ましい。
【００６９】
上記特許文献１に記載のドラム式洗濯機は、水槽の外部に配されて水槽内の空気を循環させる循環ダクトと、循環ダクトに配した送風機と、排水弁を有して水槽内の水を排水する排水通路とを有する。また、一般的に、ドラム式洗濯機は排水通路の排水弁の下流と水槽の所定の上限水位に開口した流出口とを連結したオーバーフロー管とを備える。そして、乾燥工程等で送風機を駆動させると、送風機から送出された空気がオーバーフロー管及び排水通路を介して排水トラップに流入し、排水トラップの水封が破れる場合がある。このため、ドラム式洗濯機の使用性が低下する問題があった。
【００７０】
本実施形態では、排水弁４２を開いて水槽４内の水を排水した後に送風機２８及びイオン発生部２９を所定時間駆動する除菌モードの終了後に水槽４の給水及び排水を行う。これにより、イオンにより水槽４及びドラム５を除菌できるとともに、排水トラップ４３の水封を容易に回復することができる。したがって、ドラム式洗濯機１の使用性を向上させることができる。
【００７１】
また、洗濯運転の終了後に連続して除菌モードを行うため、ドラム５の外側及び水槽４のカビ等の繁殖を容易に抑えることができる。
【００７２】
＜第２実施形態＞
次に、本発明の第２実施形態について説明する。図９は第２実施形態のドラム式洗濯機の点灯時期判定処理のフローチャートを示している。説明の便宜上、前述の図１〜図８に示した第１実施形態と同様の部分には同一の符号を付している。本実施形態では点灯時期判定処理が第１実施形態とは異なっている。その他の部分は第１実施形態と同様である。
【００７３】
人感センサ６０は照度センサ５０の検知結果に応じて検知距離を変更できるように構成されている。また、本実施形態では図４のステップ＃１２が省かれている。図９のステップ＃３５では、人体と人感センサ６０との間の距離Ｄが所定の検知距離ＤＳ（本実施形態では１ｍ）以下になったか否かが判断される。距離Ｄが検知距離ＤＳ以下になった場合はステップ＃３９に移行して照明部１０が点灯され、検知距離ＤＳ以下になっていない場合はステップ＃３６に移行する。
【００７４】
ステップ＃３６では所定時間（本実施形態では３０秒間）が経過したか否かが判断される。所定時間が経過していない場合はステップ＃３５に戻り、所定時間が経過した場合は図４のステップ＃１６に戻る。
【００７５】
ステップ＃３７では、距離Ｄが所定の検知距離ＤＬ（本実施形態では２ｍ）以下になったか否かが判断される。検知距離ＤＬは検知距離ＤＳよりも長く設定される。距離Ｄが検知距離ＤＬ以下になった場合はステップ＃３９に移行して照明部１０が点灯され、検知距離ＤＬ以下になっていない場合はステップ＃３８に移行する。
【００７６】
ステップ＃３８では所定時間（本実施形態では３０秒間）が経過したか否かが判断される。所定時間が経過していない場合はステップ＃３７に戻り、所定時間が経過した場合は図４のステップ＃１６に戻る。
【００７７】
第２実施形態でも第１実施形態と同様の効果を得ることができる。また、洗濯運転時に室内の照度Ｌが判定照度ＬＭ１よりも低い場合に高い場合よりも人感センサ６０の検知距離を長くしている。これにより、照度センサ５０の検知結果に応じて照明部１０の点灯時期が切り換えられ（点灯開始に関する制御が切り換えられ）、室内が暗い場合は使用者が筐体２から遠く離れていても照明部１０が点灯される。したがって、ドラム式洗濯機１の利便性を向上させることができる。また、室内が明るい場合は使用者が筐体２に近づかないと照明部１０が点灯されない。したがって、ドラム式洗濯機１の消費電力の増大を抑制することができる。
【００７８】
＜第３実施形態＞
次に、本発明の第３実施形態について説明する。図１０は第３実施形態のドラム式洗濯機の点灯時期判定処理のフローチャートを示している。説明の便宜上、前述の図１〜図８に示した第１実施形態と同様の部分には同一の符号を付している。本実施形態では室内の照度Ｌに応じて照明部１０の輝度を切り換えている点で第１実施形態とは異なっている。その他の部分は第１実施形態と同様である。
【００７９】
ステップ＃３３で時間Ｔが点灯開始時間ＴＬに到達すると、ステップ＃４０に移行して照明部１０が第１輝度で点灯される。ステップ＃３４で時間Ｔが点灯開始時間ＴＳに到達すると、ステップ＃４１に移行して照明部１０が第２輝度で点灯される。なお、第２輝度は第１輝度よりも低く設定される。
【００８０】
第３実施形態でも第１実施形態と同様の効果を得ることができる。また、室内の照度Ｌが判定照度ＬＭ１（第３照度）よりも低い場合に高い場合よりも照明部１０の輝度を低くしている。これにより、室内が暗い場合に照明部１０の輝度が低くなるため、使用者の暗順応を妨げない。したがって、暗い室内でドラム５内の様子を確認した使用者は容易に歩行することができ、ドラム式洗濯機１の安全性を向上させることができる。なお、本実施形態の判定照度ＬＨ１、ＬＭ１はそれぞれ第１実施形態の判定照度ＬＨ１、ＬＭ１と同じ照度でも、異なる照度でもよい。
【００８１】
なお、第２実施形態において、室内の照度Ｌが判定照度ＬＭ１よりも低い場合に高い場合よりも照明部１０の輝度を低くしてもよい。
【００８２】
＜第４実施形態＞
次に、本発明の第４実施形態について説明する。第４実施形態では照明部１０の点灯動作を行う時期が第１実施形態とは異なっている。その他の部分は第１実施形態と同様である。
【００８３】
第４実施形態では除菌モードの実行時に図４の照明部１０の点灯動作を行う。これにより、使用者は除菌モードの実行を容易に認識することができる。除菌モード時の照明部１０の発光色は洗濯運転時の照明部１０の発光色と同じでもよいが、除菌モード時の照明部１０の発光色（例えば青色）が洗濯運転時の照明部１０の発光色（例えば緑色）と異なると、使用者は除菌モードの実行を一層容易に認識することができるため、より望ましい。
【００８４】
本実施形態でも第１実施形態と同様の効果を得ることができる。また、除菌モードの実行中に人体が検知された場合に照明部１０を点灯する。これにより、使用者は除菌モードの実行を容易に認識することができる。また、除菌モード時の照明部１０の発光色が洗濯運転中と異なると、使用者は除菌モードの実行を一層容易に認識することができる。
【００８５】
なお、第２実施形態及び第３実施形態において、除菌モードの実行中に人体が検知された場合に照明部１０を点灯してもよい。
【００８６】
また、第１実施形態〜第４実施形態において、乾燥工程の終了後に連続して排水トラップ回復動作を実行してもよい。また、冷却器２６、加熱器２７及びイオン発生部２９の駆動を停止して送風機２８を駆動させる送風運転の終了後に連続して排水トラップ回復動作を実行してもよい。すなわち、送風機２８を駆動させる工程の終了後に連続して排水トラップ回復動作を実行してもよい。
【産業上の利用可能性】
【００８７】
本発明は、ドラムを回転させて衣類等の洗濯を行うドラム式洗濯機に利用することができる。
【符号の説明】
【００８８】
１        ドラム式洗濯機
２        筐体
２ａ      投入口
３        扉
４        水槽
４ａ      開口部
５        ドラム
５ａ      開口部
５ｂ      小孔
６        モータ
７        流体バランサ
９        ダンパ
１０        照明部
１２        給水弁
２６        冷却器
２７        加熱器
２８        送風機
２９        イオン発生部
３１        透視窓
４１        排水通路
４２        排水弁
４３        排水トラップ
５０        照度センサ
６０        人感センサ
Ｒ        回転軸
【図１】
2017038771.tif 000003
【図２】
2017038771.tif 000004
【図３】
2017038771.tif 000005
【図４】
2017038771.tif 000006
【図５】
2017038771.tif 000007
【図６】
2017038771.tif 000008
【図７】
2017038771.tif 000009
【図８】
2017038771.tif 000010
【図９】
2017038771.tif 000011
【図１０】
2017038771.tif 000012